(57)【特許請求の範囲】
【請求項１】
妊婦の身長を入力する身長入力手段と、非妊娠時の体重を入力する体重入力手段と、妊娠週数を入力する週数入力手段と、体格指数別体重のデータを記憶する記憶手段と、前記３つの入力手段のデータと前記記憶手段のデータから適正体重を演算する手段と、演算結果を表示する手段とを備えた妊婦用体重計。
【請求項２】
請求項１において、前記週数入力手段が出産予定日を入力することにより妊娠週数を演算することを特徴とする妊婦用体重計。
【請求項３】
請求項１において、前記週数入力手段が妊娠日からの週数を入力することを特徴とする妊婦用体重計。
【請求項４】
請求項1において、前記記憶手段は妊娠週数による体格指数別適正体重を入力により記憶させることを特徴とする妊婦用体重計。
【請求項５】
妊婦の身長を入力する身長入力手段と、妊娠週数を入力する週数入力手段と、非妊娠時の体重を入力する体重入力手段と、体格指数別体重のデータを記憶する記憶手段と、妊婦の体重を測定する測定手段と、前記３つの入力手段のデータと前記記憶手段のデータから適正体重を演算し、前記測定手段により測定された体重と比較演算する演算手段と、演算結果を表示する手段とを備えた妊婦用体重計。
【請求項６】
請求項５において、前記週数入力手段が出産予定日を入力することにより妊娠週数を演算することを特徴とする妊婦用体重計。
【請求項７】
請求項５において、前記週数入力手段が妊娠日からの週数を入力することを特徴とする妊婦用体重計。
【請求項８】
請求項５において、前記演算手段は適正体重に対し測定体重が所定量異なったときに、前記表示手段に警告を表示することを特徴とする妊婦用体重計。
【請求項９】
請求項５において、前記記憶手段は妊娠週数による体格指数別適正体重を入力により記憶させることを特徴とする妊婦用体重計。
【請求項１０】
請求項５において、前記演算手段は測定体重が一定期間に特定量増加してときに、前記表示手段に警告を表示することを特徴とする妊婦用体重計。
【発明の詳細な説明】
【０００１】
【発明の属する技術分野】
本発明は、妊娠週数により変化する妊婦の適正体重を体格によって演算する体重計に関するものである。
【０００２】
【従来の技術】
従来、妊婦は体重管理表などにより現在の体重と妊娠前の体重と体重の増加量を計算し、妊娠週数により適正に体重増加しているか、適正以上に増加しているかを判断していた。
【０００３】
【発明が解決しようとする課題】
しかしながら、体重の増量は妊婦の非妊娠時の身長、体重、すなわち体格指数（ＢＭＩ）により異なり、一義的に決まらないものである。そのため、単に妊娠週数と体重増加の比較だけでは正確性にかけるものであった。さらに妊婦のＢＭＩ及び妊娠週数によりどの程度の体重が適正であるかも不明であった。
【０００４】
【課題を解決するための手段】
本発明は、妊婦の身長を入力する身長入力手段と、非妊娠時の体重を入力する体重入力手段と、妊娠週数を入力する週数入力手段と、体格指数別体重のデータを記憶する記憶手段と、前記３つの入力手段のデータと前記記憶手段のデータから適正体重を演算する手段と、演算結果を表示する手段とを備えたものである。
【０００５】
また、妊婦の身長を入力する身長入力手段と、妊娠週数を入力する週数入力手段と、非妊娠時の体重を入力する体重入力手段と、体格指数別体重のデータを記憶する記憶手段と、妊婦の体重を測定する測定手段と、前記３つの入力手段のデータと前記記憶手段のデータから適正体重を演算し、前記測定手段により測定された体重と比較演算する演算手段と、演算結果を表示する手段とを備えたものである。
【０００６】
さらに、前記週数の入力は出産予定日を入力することにより妊娠週数を演算することが好ましい。さらに、前記週数の入力は妊娠日からの週数を入力することが好ましい。さらに、前記記憶手段は妊娠週数による体格指数別適正体重を入力により記憶させるとよい。さらに、前記演算手段は適正体重に対し測定体重が所定量異なったときに、前記表示手段に警告を表示することが好ましい。さらに、前記演算手段は測定体重が一定期間に特定量増加してときに、前記表示手段に警告を表示することが好ましい。
【０００７】
【発明の実施の形態】
本発明は、身長及び妊娠週数を入力し、妊婦の体格指数によりそのときの妊娠週数における適正体重を求めて表示するものである。
また本発明は、身長及び妊娠週数を入力し、妊娠週数に関係する体格指数別適正体重を求め、測定体重との比較によりその比較結果を表示するものである。
【０００８】
【実施例】
実施例について図面を参照して説明すると、図１は本発明に関して妊娠週数と体重との関係を示すもので、体格指数（ＢＭＩ）の違いによって体重の変化が異なることを示している。この体格指数（ＢＭＩ）とは、体重（kg）を身長（m）の２乗で割った数値をいう。この図１において、ＢＭＩが２４以上の太りすぎの妊婦とＢＭＩが１８〜２４の標準的な妊婦とは、妊娠前（非妊娠時）から妊娠初期（妊娠１２週）頃まで体重の変化がなく、その後にほぼ一定の割合で増加し、出産日には妊娠前と比較して約８Kgの体重増加になる。
一方ＢＭＩが１８未満のやせすぎの妊婦は妊娠直後から若干体重が増加し始め、妊娠１２週目以降は太りすぎまたは標準の妊婦と同様な傾斜で体重が増加し、出産日には妊娠前に比較して約１０Kgの体重増加となる。さらに、ＢＭＩが３０を超える肥満の妊婦では、妊娠１２週をすぎてもあまり体重の増加がなく、出産時でも妊娠前に比べて２〜３kg程度の増加しかない。このようにＢＭＩの違う妊婦は、体重が妊娠週数によって変化してくるので、これら体格指数別妊娠週数の適正体重データを記憶しておき、妊娠前のＢＭＩと妊娠週数とからその妊娠週数における適正体重が求められる。
【０００９】
また、実際の体重を測定し、測定時の妊娠週数における適正体重と比較することにより太りすぎなのか、やせすぎなのかが判断できる。
さらに、実際の測定体重を測定毎に測定日と共に記憶しておき、一定期間に特定量、例えば１週間に５００ｇを超えて増加するような場合には、妊娠中毒症などの原因となる過剰な体重増加として警告を出すことができる。
【００１０】
図２は本発明を適用した体重計の外観図である。1は体重計本体で、上面に表示部２、各種データを入力するためのデータ設定押しボタン３、データの値を減少させるダウンボタン４、データの値を増加させるアップボタン５が設けてある。６は、電源スイッチである。
７は、通常の体重計として使用するか、妊婦用の体重計として使用するかの切り替えスイッチである。
【００１１】
図３は図２に示す体重計1の電気回路の概略ブロック図である。１０はマイクロコンピュータを用いた演算処理部であり、従来より公知の体重を測定するはかり部１１、表示部２、設定押しボタン３とダウンボタン4とアップボタン５と切り替えスイッチ７等を含む入力部１２、公知の時計機能部１３、演算結果等のデータを記憶しておくための不揮発性の記憶部１４を接続する。１５は電池であり、電源スイッチ６を介して演算処理部１０に接続させているが他の部分で電気を必要としているところにも電気を供給している。
図４は、本発明に関る概略フローチャートである。
図５は、表示部２の表示状態を示すものである。
【００１２】
次に図２乃至図５を用いて、本発明の体重計の動作を説明する。最初に体重計1の電源スイッチ６を押すと、電池１５から演算処理部１０やその他の部分に電気が供給される（ステップ１）。これにより演算処理部１０内部のマイクロコンピュータが初期設定される（ステップ２）。次にステップ３で設定押しボタン３が押されているかどうかが判断され、このボタン３が押されるとステップ４に進み、図５aに示すような現在の日時、時刻の設定処理になる。この設定は既に多くの機器で周知慣用のものであるので、ここでは詳細な説明を省略するが、最初に年をアップボタン５とダウンボタン４で現在年に合わせ、設定押しボタン３を押すと月の設定に変わる。このようにして月、日、時、分を合わせ設定押しボタン３を押すと、時計機能のデータの入力が完了し、ステップ５に進む。このステップ４で設定された日時、時刻はこのあと電源スイッチ６が切られても時計機能部１３が独自に動作して、次に電源スイッチ６を入れたときに表示部２にそのときの日時と時刻とを表示する構成になっている。
【００１３】
ステップ５では、妊婦の身長を入力するが、このとき表示部には図５bで示すように初期値１５０ｃｍが表示されているので、アップキー５またはダウンキー４で所定の値に変更する。そして、設定押しボタン３を押すことによりこの値が記憶部１４に記憶され、ステップ6に進む。この時設定記憶された身長は、以降の演算時に使用される。ステップ６では、妊娠前、即ち非妊娠時の体重を入力するステップであり、図５cに示すように初期値として５０ｋｇが表示部２に表示されているので、アップキー５またはダウンキー４で所定の値に変更し、設定押しボタン３を押し、設定された体重を記憶部１４に記憶させ、ステップ７に進む。この時設定記憶された非妊娠時体重は、以降の演算時に使用される。ステップ７では、図５dに示すように産婦人科医師の診断による出産予定日を、ステップ４で設定したように年、月、日を入力し、最後に設定押しボタン３を押して出産予定日のデータを記憶部１４に記憶させて、ステップ３に戻る。この時設定記憶された出産予定日のデータは、以降の演算時に使用される。
【００１４】
上記のようにデータが一度設定された後には、次に設定押しボタン３を押さない限りステップ３でNoと判断され、ステップ８に進む。ステップ８では、切り替えスイッチ７が押されていれば妊婦用の体重計として判断され、ステップ９に進み体重を測定する。ここで測定された体重は、測定日のデータと共に記憶部１４に記憶され、ステップ１０での演算処理に使用される。ステップ１０では、演算処理部１０が記憶部１４に記憶されたデータに基づき、身長と体重から体格指数（ＢＭＩ）を、現在日時と出産予定日とから現在の妊娠週数とを演算するとともに、図１に示した非妊娠時の体重と妊娠週数における体重増加のグラフのデータとから求めたＢＭＩにおいて現在の妊娠週数における適正体重を演算する。また、演算処理部１０では、求められた適正体重に対し、現在の体重が何％オーバーしているか、またはアンダーしているかの演算も行う。さらに現在の体重が前回測定した日から一定期間経過し、どれくらいの体重増加になっているか、例えば前回測定から１週間たって１キログラム増加しているかを演算する。
【００１５】
そしてステップ１１では、これら演算結果を表示部２に図５eで示すように表示し、ステップ１２で現在体重が適正体重に対し、所定量、例えば５％のオーバーか５％のアンダーか、および１週間等の所定期間で例えば５００ｇ以上の特定体重以上の増加があったかを判断し、範囲以内であればそのままステップ３に戻り、範囲外であればステップ１３で表示部２に警告表示を行いステップ３に戻る。
【００１６】
また、切替スイッチ７が押されていなければ、ステップ８でＮｏと判断されステップ１４に進み、体重測定を行い、その結果はステップ１５で図５fに示すように表示部２に表示して、ステップ３に戻る。
【００１７】
なお、本実施例では、ステップ１０で妊娠週数に応じた体格指数別体重と現在体重との比較で表示を行ったが、この測定後毎に記憶部１４に妊娠週数とそのときの体重とを記憶し、妊娠週数に対する体重の変化を表形式またはグラフ化して表示してもよい。
さらに、本実施例では、妊婦専用の切替スイッチ７を設けて、妊婦とその他の人とを切替えているが、通常の体重計や体脂肪計で用いられているメモリースイッチで切替えてもよい。
なお、本実施例における電源スイッチ６と切替スイッチ７とは、一回押すことで電源が入り、さらに押すことで妊婦用としての機能になるようにすることで、一つのスイッチにすることもできる。
なお、本実施例では妊娠週数を出産予定日を入力することにより演算しているが、カレンダー等を用いて計算し、直接妊娠週数を入力しても良い。
さらに、本実施例では体格別妊娠週数による適正体重を記憶してあるデータにより演算したが、手計算等により計算し、入力手段より直接記憶部に入力しても良い。
さらに、本実施例では説明しなかったが、記憶部に記憶してある各種のデータを確認するために、データ確認用の手段を設けることもできる。
【００１８】
【発明の効果】
本発明は、妊婦の身長を入力する身長入力手段と、妊娠週数を入力する週数入力手段と、非妊娠時の体重を入力する体重入力手段と、体格別体重のデータを記憶する記憶手段と、前記３つの入力手段のデータと前記記憶手段のデータから適正体重を演算する手段と、演算結果を表示する手段とを備えたものであるので、簡単に妊婦の体格に応じた妊娠週数の基準体重を求めることができる。
【００１９】
また、妊婦の身長を入力する身長入力手段と、妊娠週数を入力する週数入力手段と、非妊娠時の体重を入力する体重入力手段と、体格別体重のデータを記憶する記憶手段と、妊婦の体重を測定する測定手段と、前記３つの入力手段のデータと前記記憶手段のデータから適正体重を演算し、前記測定手段により測定された体重と比較演算する演算手段と、演算結果を表示する手段とを備えたものであるので、簡単に妊婦の体格に応じた妊娠週数の基準体重を求めることができるとともに、基準体重と現在の体重との比較ができる。
【００２０】
さらに、前記演算手段は適正体重に対し測定体重が所定量異なったときに、前記表示手段に警告を表示することにより、妊娠中の過剰な体重増加による肥満が原因とされる妊娠中毒症の予防ができる。
【００２１】
さらに、前記演算手段は測定体重が一定期間に特定量増加したときに、前記表示手段に警告を表示することにより、妊娠中の急激な体重増加による肥満が原因とされる妊娠中毒症の予防ができる。
【００２２】
さらに、出産予定日を入力することにより、現在の妊娠週数も簡単に表示できる。
【図面の簡単な説明】
【図１】  妊娠週数と体重との関係を示す図
【図２】  体重計の外観図
【図３】  電気回路の概略ブロック図
【図４】  概略フローチャート
【図５】  表示状態を示す図
【符号の説明】
１  体重計本体
２  表示部
３  設定押しボタン
４  ダウンボタン
５  アップボタン
６  電源スイッチ
７  切替スイッチ
１０  演算処理部
１１  はかり部
１２  入力部
１３  時計機能部
１４  記憶部
【図１】
0003682909.tif 000002
【図２】
0003682909.tif 000003
【図３】
0003682909.tif 000004
【図４】
0003682909.tif 000005
【図５】
0003682909.tif 000006